(57)【要約】【課題】拡大モードにおいて輝度の低下を補うとともに解像度の低下を少なくできるＸ線イメージ管の撮像方法を提供する。【解決手段】Ｘ線イメージ管10の入力面の所定領域の画像を出力面18に結像する通常モードと、入力面の所定領域の一部を拡大した画像を出力面18に結像する拡大モードとを有するＸ線イメージ管の撮像方法である。固定絞り38を有するレンズ32を用いる撮像装置30でＸ線イメージ管10の出力面18を撮像するとともに、Ｘ線イメージ管10の通常モードと拡大モードとに応じて撮像装置30のゲインを調整する。【選択図】図１
2015173023.tif 000002
【特許請求の範囲】
【請求項１】
Ｘ線イメージ管の入力面の所定領域の画像を出力面に結像する通常モードと、前記入力面の所定領域の一部を拡大した画像を前記出力面に結像する拡大モードとを有するＸ線イメージ管の撮像方法であって、
固定絞りを有するレンズを用いる撮像装置で前記Ｘ線イメージ管の前記出力面を撮像するとともに、
前記Ｘ線イメージ管の通常モードと拡大モードとに応じて前記撮像装置のゲインを調整する
ことを特徴とするＸ線イメージ管の撮像方法。
【請求項２】
入力面の所定領域の画像を出力面に結像する通常モードと、前記入力面の所定領域の一部を拡大した画像を前記出力面に結像する拡大モードとを有するＸ線イメージ管の撮像装置であって、
固定絞りを有し、前記Ｘ線イメージ管の前記出力面に対向するレンズと、
前記レンズを通じて前記Ｘ線イメージ管の前記出力面を撮像する撮像素子と、
前記Ｘ線イメージ管の通常モードと拡大モードとに応じて前記撮像素子のゲインを調整するゲイン調整手段と
を具備することを特徴とするＸ線イメージ管の撮像装置。
【発明の詳細な説明】
【技術分野】
【０００１】
本発明の実施形態は、Ｘ線像を可視光像に変換するＸ線イメージ管の撮像方法および撮像装置に関する。
【背景技術】
【０００２】
従来、Ｘ線イメージ管では、真空外囲器内に入射したＸ線を入射面で電子に変換し、真空外囲器内に配置された電子レンズを構成する複数の集束電極で電子を加速、集束し、真空外囲器の出力面で電子を可視光像に結像している。
【０００３】
そして、Ｘ線イメージ管を用いたイメージングシステムでは、Ｘ線イメージ管の出力面をＣＣＤカメラ等の撮像装置を用いて撮像し、モニタに映し出してモニタリングしたり、パソコン等の処理系統に取り込んで処理、検査、診断を行っている。
【０００４】
このようなＸ線イメージ管では、Ｘ線イメージ管の入力面の所定領域の画像を出力面に結像する通常モードとともに、入力面の所定領域の一部を拡大した画像を出力面に結像する拡大モードを有していることが多いが、拡大した画像では輝度が低下してしまう。
【０００５】
この輝度の低下を補うため、撮像装置に絞りの開閉を外部信号で自動的に行う電動絞りを有するレンズを用い、拡大モードのときには電動絞りを開放するように調整することが多い。
【先行技術文献】
【特許文献】
【０００６】
【特許文献１】特開２００８−２５６４３９号公報
【発明の概要】
【発明が解決しようとする課題】
【０００７】
拡大モードのとき、電動絞りを開放して輝度の低下を補っているが、電動絞りを開放するために解像度が低下してしまう。
【０００８】
本発明が解決しようとする課題は、拡大モードにおいて輝度の低下を補うとともに解像度の低下を少なくできるＸ線イメージ管の撮像方法および撮像装置を提供することである。
【課題を解決するための手段】
【０００９】
本実施形態は、Ｘ線イメージ管の入力面の所定領域の画像を出力面に結像する通常モードと、前記入力面の所定領域の一部を拡大した画像を前記出力面に結像する拡大モードとを有するＸ線イメージ管の撮像方法であって、固定絞りを有するレンズを用いる撮像装置で前記Ｘ線イメージ管の前記出力面を撮像するとともに、前記Ｘ線イメージ管の通常モードと拡大モードとに応じて前記撮像装置のゲインを調整するものである。
【図面の簡単な説明】
【００１０】
【図１】一実施形態を示すＸ線イメージ管の撮像装置の側面図である。
【図２】同上Ｘ線イメージ管の側面図である。
【発明を実施するための形態】
【００１１】
以下、一実施形態を、図１および図２を参照して説明する。
【００１２】
図２に示すように、Ｘ線イメージ管10は、金属製の真空外囲器11を有している。真空外囲器11には、Ｘ線12の入力窓である入力部13、およびこの入力部13に対して反対側に出力窓である出力部14が形成されている。
【００１３】
真空外囲器11内には、入力部13の内側に入力部13から入射するＸ線12を電子15に変換する入力面16が設けられ、出力部14の内側に入力面16からの電子15を可視光像17に変換して出力部14から出力する出力面18が設けられている。さらに、真空外囲器11内には、入力面16から出力面18に向かって進行する電子15の進路に沿って電子15を加速、集束する電子レンズを構成する複数の集束電極19が設置されている。集束電極19には電源部20から高圧電源が印可される。
【００１４】
Ｘ線イメージ管10は、入力面16の所定領域（略全域）の画像を出力面18に結像する通常モードと、入力面16の所定領域の一部を拡大した画像を出力面18に結像する拡大モードとを有している。
【００１５】
また、図１に示すように、Ｘ線イメージ管10の出力部14には、出力面18から出力される可視光像17を撮像するカメラである撮像装置30が設置されている。撮像装置30は、カメラ本体である撮像装置本体31、および撮像装置本体31に装着されて出力面18に対向されるレンズ32を備えている。撮像装置本体31を支持するアダプタ33により、撮像装置30がＸ線イメージ管10に設置されている。
【００１６】
撮像装置本体31は、ＣＣＤ等の撮像素子34を備えている。さらに、撮像装置本体31は、撮像素子34のゲインを調整するゲイン調整手段35、撮像素子34で撮像する画像を処理する画像処理部36を備え、およびこれらを含めて撮像装置30を制御する制御部37を備えている。画像処理部36は、撮像素子34で撮像された画像を積算処理し、解像度を向上させる。
【００１７】
ゲイン調整手段35は、Ｘ線イメージ管10の通常モードと拡大モードとに応じて撮像素子34のゲインを調整する。すなわち、通常モードと拡大モードとに応じて撮像素子34のゲインを異ならせるものであって、拡大モードのときの撮像素子34のゲインを、通常モードのときの撮像素子34のゲインよりも高くする。具体的には、撮像素子34から信号を読み出す際の増幅器の増幅率を高くする。そして、制御部37がＸ線イメージ管10のモードを取得し、ゲイン調整手段35によるゲイン調整（ゲイン切換）を自動制御する。
【００１８】
レンズ32は、固定絞り38を有し、接写用に設計された高解像度レンズが用いられている。また、汎用性を考慮してＣマウントレンズやＣＣＴＶレンズ等を用いてもよい。
【００１９】
そして、撮像装置30はパソコン等に接続され、撮像装置30によりＸ線イメージ管10の出力面18の可視光像17を撮像した画像がパソコン等のモニタに表示され、画像処理、合否判断、診断等が行われる。
【００２０】
Ｘ線イメージ管10の通常モードにおいては、入力面16の所定領域（略全域）の画像を出力面18に結像し、この出力面18に結像された可視光像17を撮像装置30で撮像する。
【００２１】
Ｘ線イメージ管10の拡大モードにおいては、入力面16の所定領域の一部を拡大した画像を出力面18に結像し、この出力面18に結像された可視光像17を撮像装置30で撮像する。
【００２２】
Ｘ線イメージ管10の拡大モードでは、出力面18に結像された可視光像17である画像の輝度が低下するが、撮像装置30のゲイン調整手段35によるゲイン調整で対応することにより、画像の輝度の低下を抑制する。
【００２３】
このゲイン調整に関しては、従来であれば画像処理をしない画像のままではノイズが目立つ画像となるが、画像処理部36で積算処理を行うことで、レンズの電動絞りで対応する場合に比べて画像全体の画質を落とさず、拡大画像での輝度低下を防ぐことができる。
【００２４】
そのため、レンズ32は、固定絞り38を用いることが可能となり、電動絞りを用いなくて済む。電動絞りを用いたレンズに比べて安価にでき、高画質を合わせて市場が要求する低価格化に合致できる。
【００２５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２６】
10    Ｘ線イメージ管
16    入力面
18    出力面
30    撮像装置
32    レンズ
34    撮像素子
35    ゲイン調整手段
38    固定絞り
【図１】
2015173023.tif 000003
【図２】
2015173023.tif 000004